(57)【要約】【課題】上水設備から上水が供給されなくなった後も、電力用機器をより長く冷却することのできる電力用機器水冷却装置を提供することにある。【解決手段】電力用機器から発生した熱を水冷クーラ１１により循環水に熱交換し、散水装置４０による散水とともに湿式冷却器３１により、循環水の熱を放出させ、散水槽４３の水質が悪化した場合、水を放出し、散水槽４３に供給する水及び減少した循環水を補給する水を補給水槽２２に貯えた電力用機器水冷却装置１であって、補給水槽２２に水が供給されなくなった場合、散水槽４３の水の放出を停止する電力用機器水冷却装置。【選択図】      図１
2010169312.tif 000002
【特許請求の範囲】
【請求項１】
電力用機器から発生した熱を循環水に熱交換する熱交換手段と、
前記循環水が循環する循環配管と、
前記循環配管を循環する前記循環水の減水に応じて補給する循環水補給手段と、
前記循環配管が循環する前記循環水の熱を放出させるための冷却をする冷却手段と、
前記冷却手段による冷却のための散水をする散水手段と、
前記散水手段により散水される水を保有する散水槽と、
前記散水槽が保有する水の水質が悪化した場合、該水を放出する水放出手段と、
前記散水槽に水を供給する散水槽用水供給手段と、
水が供給され、前記循環水補給手段により補給する水及び前記散水槽用水供給手段により供給する水を貯える補給水槽と、
前記補給水槽に水が供給されなくなった場合、前記水放出手段による水の放出を停止する水放出停止手段と
を備えたことを特徴とする電力用機器水冷却装置。
【請求項２】
前記補給水槽に水が供給されなくなった場合、前記散水手段による散水を停止する散水停止手段
を備えたことを特徴とする請求項１に記載の電力用機器水冷却装置。
【請求項３】
電力用機器から発生した熱を循環水に熱交換する熱交換手段と、
前記循環水が循環する循環配管と、
前記循環配管を循環する前記循環水の減水に応じて補給する循環水補給手段と、
前記循環配管が循環する前記循環水の熱を放出させるための冷却をする冷却手段と、
前記冷却手段による冷却のための散水をする散水手段と、
前記散水手段により散水される水を保有する散水槽と、
前記散水槽が保有する水の水質が悪化した場合、該水を放出する水放出手段と、
前記散水槽に水を供給する散水槽用水供給手段と、
前記循環水補給手段により補給する水及び前記散水槽用水供給手段により供給する水を貯える補給水槽と、
前記補給水槽に水が供給されなくなった場合、前記散水手段による散水を停止する散水停止手段と
を備えたことを特徴とする電力用機器水冷却装置。
【請求項４】
前記補給水槽に水が供給されなくなった場合、前記散水槽用水供給手段による供給を停止する散水槽用水供給停止手段
を備えたことを特徴とする請求項１から請求項３のいずれか１項に記載の電力用機器水冷却装置。
【請求項５】
電力用機器から発生した熱を循環水に熱交換する熱交換手段と、
前記循環水が循環する循環配管と、
前記循環配管を循環する前記循環水を減水に応じて補給する循環水補給手段と、
前記循環配管が循環する前記循環水の熱を放出させるための冷却をする冷却手段と、
前記冷却手段による冷却のための散水をする散水手段と、
前記散水手段により散水される水を保有する散水槽と、
前記散水槽が保有する水の水質が悪化した場合、該水を放出する水放出手段と、
前記散水槽に水を供給する散水槽用水供給手段と、
前記循環水補給手段により補給する水及び前記散水槽用水供給手段により供給する水を貯える補給水槽と、
前記補給水槽に水が供給されなくなった場合、前記散水槽用水供給手段による供給を停止する散水槽用水供給停止手段と
を備えたことを特徴とする電力用機器水冷却装置。
【請求項６】
電力用機器から発生した熱を循環水に熱交換する熱交換手段と、
前記循環水が循環する循環配管と、
前記循環配管を循環する前記循環水の減水に応じて補給する循環水補給手段と、
前記循環配管が循環する前記循環水の熱を放出させるための冷却をする冷却手段と、
前記冷却手段による冷却のための散水をする散水手段と、
前記散水手段により散水される水を保有する散水槽と、
前記散水槽が保有する水の水質が悪化した場合、該水を放出する水放出手段と、
前記散水槽に水を供給する散水槽用水供給手段と、
水が供給され、前記循環水補給手段により補給する水及び前記散水槽用水供給手段により供給する水を貯える補給水槽と、
上水設備から水が供給され、前記補給水槽に供給する水を貯える貯水槽と、
前記貯水槽の水量が予め決められた規定量以下に低下した場合、前記水放出手段による水の放出を停止する水放出停止手段と
を備えたことを特徴とする電力用機器水冷却装置。
【請求項７】
電力用機器から発生した熱を循環水に熱交換する熱交換手段と、
前記循環水が循環する循環配管と、
前記循環配管を循環する前記循環水の減水に応じて補給する循環水補給手段と、
前記循環配管が循環する前記循環水の熱を放出させるための冷却をする冷却手段と、
前記冷却手段による冷却のための散水をする散水手段と、
前記散水手段により散水される水を保有する散水槽と、
前記散水槽が保有する水の水質が悪化した場合、該水を放出する水放出手段と、
前記散水槽に水を供給する散水槽用水供給手段と、
水が供給され、前記循環水補給手段により補給する水及び前記散水槽用水供給手段により供給する水を貯える補給水槽と、
上水設備から水が供給され、前記補給水槽に供給する水を貯える貯水槽と、
前記貯水槽の水量が予め決められた規定量以下に低下した場合、前記散水手段による散水を停止する散水停止手段と
を備えたことを特徴とする電力用機器水冷却装置。
【請求項８】
電力用機器から発生した熱を循環水に熱交換する熱交換手段と、
前記循環水が循環する循環配管と、
前記循環配管を循環する前記循環水の減水に応じて補給する循環水補給手段と、
前記循環配管が循環する前記循環水の熱を放出させるための冷却をする冷却手段と、
前記冷却手段による冷却のための散水をする散水手段と、
前記散水手段により散水される水を保有する散水槽と、
前記散水槽が保有する水の水質が悪化した場合、該水を放出する水放出手段と、
前記散水槽に水を供給する散水槽用水供給手段と、
水が供給され、前記循環水補給手段により補給する水及び前記散水槽用水供給手段により供給する水を貯える補給水槽と、
所定規模以上の地震を検知する地震検知手段と、
前記地震検知手段により地震を検知した場合、前記水放出手段による水の放出を停止する水放出停止手段と
を備えたことを特徴とする電力用機器水冷却装置。
【請求項９】
電力用機器から発生した熱を循環配管を循環する循環水に熱交換し、冷却器による冷却により前記循環水の熱を放出させ、前記冷却器による冷却のための散水をし、前記散水のための水を保有する散水槽の該水の水質が悪化した場合、該水を放出し、前記散水槽に供給する水及び前記循環水の減水に応じて補給する水を補給水槽に貯えた電力用機器水冷却装置を制御する制御装置であって、
前記補給水槽に水が供給されなくなった場合、前記散水槽の水の放出を停止する水放出停止手段
を備えたことを特徴とする電力用機器水冷却装置の制御装置。
【請求項１０】
前記補給水槽に水が供給されなくなった場合、前記冷却器への散水を停止する散水停止手段
を備えたことを特徴とする請求項９に記載の電力用機器水冷却装置の制御装置。
【請求項１１】
電力用機器から発生した熱を循環配管を循環する循環水に熱交換し、冷却器による冷却により前記循環水の熱を放出させ、前記冷却器による冷却のための散水をし、前記散水のための水を保有する散水槽の該水の水質が悪化した場合、該水を放出し、前記散水槽に供給する水及び前記循環水の減水に応じて補給する水を補給水槽に貯えた電力用機器水冷却装置を制御する制御装置であって、
前記補給水槽に水が供給されなくなった場合、前記冷却器への散水を停止する散水停止手段
を備えたことを特徴とする電力用機器水冷却装置の制御装置。
【請求項１２】
前記補給水槽に水が供給されなくなった場合、前記散水槽への水の供給を停止する散水槽用水供給停止手段
を備えたことを特徴とする請求項９から請求項１１のいずれか１項に記載の電力用機器水冷却装置の制御装置。
【請求項１３】
電力用機器から発生した熱を循環配管を循環する循環水に熱交換し、冷却器による冷却により前記循環水の熱を放出させ、前記冷却器による冷却のための散水をし、前記散水のための水を保有する散水槽の該水の水質が悪化した場合、該水を放出し、前記散水槽に供給する水及び前記循環水の減水に応じて補給する水を補給水槽に貯えた電力用機器水冷却装置を制御する制御装置であって、
前記補給水槽に水が供給されなくなった場合、前記散水槽への水の供給を停止する散水槽用水供給停止手段
を備えたことを特徴とする電力用機器水冷却装置の制御装置。
【請求項１４】
電力用機器から発生した熱を循環配管を循環する循環水に熱交換し、冷却器による冷却により前記循環水の熱を放出させ、前記冷却器による冷却のための散水をし、前記散水のための水を保有する散水槽の該水の水質が悪化した場合、該水を放出し、前記散水槽に供給する水及び前記循環水の減水に応じて補給する水を補給水槽に貯え、上水設備からの水を前記補給水槽に供給する水を貯水槽に貯えた電力用機器水冷却装置を制御する制御装置であって、
前記貯水槽の水量が予め決められた規定量以下に低下した場合、前記散水槽の水の放出を停止する水放出停止手段
を備えたことを特徴とする電力用機器水冷却装置の制御装置。
【請求項１５】
電力用機器から発生した熱を循環配管を循環する循環水に熱交換し、冷却器による冷却により前記循環水の熱を放出させ、前記冷却器による冷却のための散水をし、前記散水のための水を保有する散水槽の該水の水質が悪化した場合、該水を放出し、前記散水槽に供給する水及び前記循環水の減水に応じて補給する水を補給水槽に貯え、上水設備からの水を前記補給水槽に供給する水を貯水槽に貯えた電力用機器水冷却装置を制御する制御装置であって、
前記貯水槽の水量が予め決められた規定量以下に低下した場合、前記冷却器への散水を停止する散水停止手段
を備えたことを特徴とする電力用機器水冷却装置の制御装置。
【請求項１６】
電力用機器から発生した熱を循環配管を循環する循環水に熱交換し、冷却器による冷却により前記循環水の熱を放出させ、前記冷却器による冷却のための散水をし、前記散水のための水を保有する散水槽の該水の水質が悪化した場合、該水を放出し、前記散水槽に供給する水及び前記循環水の減水に応じて補給する水を補給水槽に貯え、上水設備からの水を前記補給水槽に供給する水を貯水槽に貯えた電力用機器水冷却装置を制御する制御装置であって、
所定規模以上の地震を検知する地震検知手段と、
前記地震検知手段により地震を検知した場合、前記散水槽の水の放出を停止する水放出停止手段と
を備えたことを特徴とする電力用機器水冷却装置の制御装置。
【請求項１７】
電力用機器から発生した熱を循環配管を循環する循環水に熱交換し、冷却器による冷却により前記循環水の熱を放出させ、前記冷却器による冷却のための散水をし、前記散水のための水を保有する散水槽の該水の水質が悪化した場合、該水を放出し、前記散水槽に供給する水及び前記循環水の減水に応じて補給する水を補給水槽に貯えた電力用機器水冷却装置を制御する制御方法であって、
前記補給水槽に水が供給されなくなった場合、前記散水槽の水の放出を停止する水放出停止手順
を含むことを特徴とする電力用機器水冷却装置の制御方法。
【請求項１８】
前記水放出停止手順後に、前記冷却器への散水を停止する散水停止手順
を含むことを特徴とする請求項１７に記載の電力用機器水冷却装置の制御方法。
【請求項１９】
前記水放出停止手順後に、前記散水槽への水の供給を停止する散水槽用水供給停止手順
を含むことを特徴とする請求項１７に記載の電力用機器水冷却装置の制御方法。
【請求項２０】
電力用機器から発生した熱を循環配管を循環する循環水に熱交換し、冷却器による冷却により前記循環水の熱を放出させ、前記冷却器による冷却のための散水をし、前記散水のための水を保有する散水槽の該水の水質が悪化した場合、該水を放出し、前記散水槽に供給する水及び前記循環水の減水に応じて補給する水を補給水槽に貯えた電力用機器水冷却装置を制御する制御方法であって、
前記補給水槽に水が供給されなくなった場合、前記冷却器への散水を停止する散水停止手順
を含むことを特徴とする電力用機器水冷却装置の制御方法。
【請求項２１】
前記散水停止手順後に、前記散水槽への水の供給を停止する散水槽用水供給停止手順
を含むことを特徴とする請求項１８又は請求項２０に記載の電力用機器水冷却装置の制御方法。
【請求項２２】
電力用機器から発生した熱を循環配管を循環する循環水に熱交換し、冷却器による冷却により前記循環水の熱を放出させ、前記冷却器による冷却のための散水をし、前記散水のための水を保有する散水槽の該水の水質が悪化した場合、該水を放出し、前記散水槽に供給する水及び前記循環水の減水に応じて補給する水を補給水槽に貯えた電力用機器水冷却装置を制御する制御方法であって、
前記補給水槽に水が供給されなくなった場合、前記散水槽への水の供給を停止する散水槽用水供給停止手順
を含むことを特徴とする電力用機器水冷却装置の制御方法。
【請求項２３】
前記散水槽用水供給停止手順後に、前記散水槽の水量が所定量よりも少なくなった場合、前記冷却器への散水を停止する散水停止手順
を含むことを特徴とする請求項１９又は請求項２２に記載の電力用機器水冷却装置の制御方法。
【請求項２４】
電力用機器から発生した熱を循環配管を循環する循環水に熱交換し、冷却器による冷却により前記循環水の熱を放出させ、前記冷却器による冷却のための散水をし、前記散水のための水を保有する散水槽の該水の水質が悪化した場合、該水を放出し、前記散水槽に供給する水及び前記循環水の減水に応じて補給する水を補給水槽に貯え、上水設備からの水を前記補給水槽に供給する水を貯水槽に貯えた電力用機器水冷却装置を制御する制御方法であって、
前記貯水槽の水量が予め決められた規定量以下に低下した場合、前記散水槽の水の放出を停止する水放出停止手順
を含むことを特徴とする電力用機器水冷却装置の制御方法。
【請求項２５】
電力用機器から発生した熱を循環配管を循環する循環水に熱交換し、冷却器による冷却により前記循環水の熱を放出させ、前記冷却器による冷却のための散水をし、前記散水のための水を保有する散水槽の該水の水質が悪化した場合、該水を放出し、前記散水槽に供給する水及び前記循環水の減水に応じて補給する水を補給水槽に貯え、上水設備からの水を前記補給水槽に供給する水を貯水槽に貯えた電力用機器水冷却装置を制御する制御方法であって、
前記貯水槽の水量が予め決められた規定量以下に低下した場合、前記冷却器への散水を停止する散水停止手順
を含むことを特徴とする電力用機器水冷却装置の制御方法。
【請求項２６】
電力用機器から発生した熱を循環配管を循環する循環水に熱交換し、冷却器による冷却により前記循環水の熱を放出させ、前記冷却器による冷却のための散水をし、前記散水のための水を保有する散水槽の該水の水質が悪化した場合、該水を放出し、前記散水槽に供給する水及び前記循環水の減水に応じて補給する水を補給水槽に貯え、上水設備からの水を前記補給水槽に供給する水を貯水槽に貯えた電力用機器水冷却装置を制御する制御方法であって、
所定規模以上の地震を検知する地震検知手順と、
前記地震検知手順により地震を検知した場合、前記散水槽の水の放出を停止する水放出停止手順と
を含むことを特徴とする電力用機器水冷却装置の制御方法。
【発明の詳細な説明】
【技術分野】
【０００１】
一般に、地下変電所などの屋内変電所では、設置された変圧器等の電力用機器から発生した熱を、熱交換器により水などの媒体に熱交換して最終的に発生熱を外気環境へ放出する電力用機器水冷却装置が知られている。このような電力用機器水冷却装置により、これら電力用機器内部の温度上昇を抑制し、継続的な運転をすることができる。
【０００２】
このような冷却装置としては、冷却水を圧搾空気により微粒子の状態にして散布し、気化熱により冷却する変圧器の冷却方法が開示されている（例えば、特許文献１参照）。また、冷却管に複数枚のプレート状のフィンを取り付けることで、冷却効果を高める冷却塔が開示されている（例えば、特許文献２参照）。
【特許文献１】特開平０７−２８３０３４号公報
【特許文献２】特開平０８−３０３９８９号公報
【発明の開示】
【発明が解決しようとする課題】
【０００３】
しかしながら、上述のような先行技術文献に開示された電力機器の冷却装置では、以下のような問題点がある。
【０００４】
例えば、地震などにより、上水設備が停止し、冷却装置の貯水槽への保水ができない場合など、何らかの原因で循環水系統の喪失水を補給する機能に支障を生じた場合、やがて循環水が減水する。循環水が減水すると、循環水配管中には外気環境から気泡が混入し（キャビテーション）、配管内部の循環水の循環ができなくなる。その結果、冷却装置の運転が停止し、電力機器の発生熱の放出ができなくなる。このような状態になると、電力機器の運転を停止する必要がある。
【０００５】
そこで、本発明の目的は、上水設備から上水が供給されなくなった後も、電力用機器をより長く冷却することのできる電力用機器水冷却装置を提供することにある。
【課題を解決するための手段】
【０００６】
本発明の観点に従った電力用機器水冷却装置は、電力用機器から発生した熱を循環水に熱交換する熱交換手段と、前記循環水が循環する循環配管と、前記循環配管を循環する前記循環水の減水に応じて補給する循環水補給手段と、前記循環配管が循環する前記循環水の熱を放出させるための冷却をする冷却手段と、前記冷却手段による冷却のための散水をする散水手段と、前記散水手段により散水される水を保有する散水槽と、前記散水槽が保有する水の水質が悪化した場合、該水を放出する水放出手段と、前記散水槽に水を供給する散水槽用水供給手段と、水が供給され、前記循環水補給手段により補給する水及び前記散水槽用水供給手段により供給する水を貯える補給水槽と、前記補給水槽に水が供給されなくなった場合、前記水放出手段による水の放出を停止する水放出停止手段とを備えている。
【発明の効果】
【０００７】
本発明によれば、上水設備から上水が供給されなくなった後も、電力用機器をより長く冷却することのできる電力用機器水冷却装置を提供することができる。
【発明を実施するための最良の形態】
【０００８】
以下図面を参照して、本発明の実施形態を説明する。
【０００９】
図１は、本発明の各実施形態に係る電力用機器水冷却装置１の構成を示す構成図である。なお、以降の図における同一部分には同一符号を付してその詳しい説明を省略し、異なる部分について主に述べる。以降の実施形態も同様にして重複した説明を省略する。
【００１０】
電力用機器水冷却装置１は、循環水系統１０と、補給水系統２０と、冷却塔３０と、及び散水装置４０とから構成されている。制御装置１００は、電力用機器水冷却装置１から受信信号ＳＲを受信し、送信信号ＳＳを送信する。
【００１１】
制御装置１００は、受信信号ＳＲ及び送信信号ＳＳに基づいて、電力用機器水冷却装置１を構成する各機器の監視及び制御を行う。制御装置１００は、主にコンピュータである。受信信号ＳＲは、例えば、各機器に設けられた各種センサからの受信データである。送信信号ＳＳは、例えば、各機器を制御するための制御指令である。
【００１２】
循環水系統１０は、変圧器等の電力用機器と接続された水冷クーラ１１と、水冷クーラ１１と接続され、内部を循環水が流れる循環水配管１３と、循環水配管１３に設けられた循環水ポンプ１２とを備えている。
【００１３】
水冷クーラ１１は、電力用機器から発生した熱を循環水に熱交換する。水冷クーラ１１は、電力用機器に用いられる内部絶縁媒体によって違うタイプが用いられる。水冷クーラ１１は、例えば電力用機器に幅広く用いられる絶縁油や六弗化硫黄水冷クーラを用いる。
【００１４】
循環水配管１３は、循環水を流すための配管である。循環水が循環水配管１３を流れることで、電力用機器から発生した熱を、循環水を介して、冷却塔３０へ運ぶ。
【００１５】
循環水ポンプ１２は、循環水配管１３を流れる循環水を循環させるためのポンプである。
【００１６】
補給水系統２０は、上水設備２４と、貯水槽２３と、上水設備２４と貯水槽２３とを接続する上水用配管２５と、貯水槽２３に設けられた水位計２８と、補給水槽２２と、貯水槽２３と補給水槽２２と接続する補給水配管２６と、補給水配管２６の貯水槽２３側に設けられた補給水ポンプ２１と、補給水槽２２に設けられた水位計２９と、補給水槽２２と循環水配管１３とを接続する給水配管２７とを備えている。
【００１７】
上水設備２４は、上水用配管２５を通じて、上水槽２３へ上水を補給する。
【００１８】
貯水槽２３は、上水設備２４からの上水を貯蔵する。
【００１９】
水位計２８は、貯水槽２３の水量を計測するための計測器である。
【００２０】
補給水ポンプ２１は、補給水配管２６を通じて、貯水槽２３から補給水槽２２へ補給水を補給する。
【００２１】
補給水槽２２は、貯水槽２３からの補給水を貯蔵する。なお、補給水槽２２には、循環水系統１０内の循環水の温度変化による熱膨張を補償するための膨張タンクとしての機能を兼ねていてもよい。
【００２２】
水位計２９は、補給水槽２２の水量を計測するための計測器である。
【００２３】
給水配管２７は、循環配管１３を循環する循環水の減水に応じて補給する。循環水は、蒸発やリークにより減少する。
【００２４】
冷却塔３０は、湿式冷却器３１と、乾式冷却器３２と、送風機３３とを備えている。冷却塔３０には、循環配管１３を循環する循環水を冷却する場所である。ここで、循環水の熱を熱交換し、大気へ放出する。
【００２５】
湿式冷却器３１は、散水装置４０による散水と共に、循環配管１３の冷却を行う。湿式冷却器３１は、散水装置４０による散水がなくとも、乾式冷却器としての冷却を行うことができる。
【００２６】
乾式冷却器３２は、電力用機器水冷却装置への水の供給の有無に関わらず、循環配管１３に対して、常に一定の冷却することができる。
【００２７】
送風機３３は、冷却塔３０内部の上方から下方への空気の流れを作り出す。送風機により送り出された風は、冷却塔３０の側面から大気へ放出される。
【００２８】
散水装置４０は、散水槽４３と、補給水槽２２と散水槽４３とを接続する給水配管４１と、給水配管４１に設けられた電磁弁４２と、散水槽４３の内部に設けられた水位計４４と、給水配管４１に設けられた散水ポンプ４５と、散水槽４３から湿式冷却器３２への散水する箇所まで敷設された散水用配管４６により構成されている。散水装置４０は、湿式冷却器３１による冷却のための散水をする装置である。
【００２９】
散水槽４３は、散水に用いるための水を保有する。また、散水した後の水の一部は、散水槽４３に戻されて、保有水となる。散水槽４３には、水放出口ＨＬが設けられている。散水槽４３の保有水の水質が悪化した場合、水放出口ＨＬを開放し、保有水の一部又は全部を放出する（ブロー）。散水槽４３の保有水の水質は、伝導率計などにより計測され、監視制御されている。
【００３０】
水位計４４は、散水槽４３に貯えられている水量を計測している。水位計４４による測定値が所定値を下回ると、電磁弁４２を開くことで、水が供給される。
【００３１】
電磁弁４２は、水位計４４に連動して、開閉動作を行う弁である。具体的には、水位計４４の計測値が所定値を下回ると（散水槽４３の水位が下がると）、電磁弁４２が開く。水位計４４の計測値が所定値以上のときは、電磁弁４２は閉じている。電磁弁４２が開かれると、補給水槽２２の水が給水配管４１を通じて散水槽４３に給水される。なお、ここでは、電磁弁としているが、他の方式による弁でもよい。
【００３２】
散水ポンプ４５は、散水用配管４６を流れる水を送り出し、散水するためのポンプである。これにより、散水ポンプ４５は、散水槽４３の水を湿式冷却器３２に散水する。
【００３３】
図２は、本発明の第１の実施形態に係る電力用機器水冷却装置１の制御装置１００の制御手順を示すフローチャートである。
【００３４】
図１及び図２を参照して、電力用機器水冷却装置１の制御装置１００による制御について説明する。
【００３５】
上水設備２４からの上水が貯水槽２３に供給されなくなると、貯水槽２３の水量が減り続ける。
【００３６】
制御装置１００は、貯水槽２３の水量を水位計２８により、常に計測している。
【００３７】
制御装置１００は、貯水槽２３の水量が予め決められた規定量以下に低下すると（ステップＳ２０１のＹｅｓ）、補給水ポンプ２１の運転を停止する（ステップＳ２０２）。補給水ポンプ２１の運転が停止すると、補給水槽２２の水量が減り続ける。
【００３８】
制御装置１００は、補給水槽２２の水量が予め決められた規定量以下に低下すると（ステップＳ２０３のＹｅｓ）、散水槽４３のブローを行わない運転に切り替える（ステップＳ２０４）。
【００３９】
本実施形態によれば、以下の作用効果を得ることができる。
【００４０】
電力用機器水冷却装置１において補給水槽２２の水が減少する要素としては、次のようなものがある。
【００４１】
（１）補給水槽２２の蒸発分
（２）循環水などのリークによる減少分
（３）湿式冷却器３１への散水による蒸発分
（４）散水槽４３のブローによる放出分
（５）散水槽４３からの蒸発分
減少量の大小関係は、一般的には、（１），（２），（５）＜＜（３），（４）となる。
【００４２】
本実施形態による制御方法では、上記（４）による水の減少を抑えることができるため、循環水配管１３への循環水の補給できる時間を長くすることができる。これにより、循環水配管１３のキャビテーションによる循環水が循環できなくなるまでの時間を延ばすことができる。即ち、電力用機器水冷却装置１に接続された電力用機器の冷却できる時間を延ばすことができる。従って、電力用機器の運転継続時間を長くすることができる。
【００４３】
（第２の実施形態）
図３は、本発明の第２の実施形態に係る電力用機器水冷却装置１の制御装置１００の制御手順を示すフローチャートである。
【００４４】
図１及び図３を参照して、電力用機器水冷却装置１の制御装置１００による制御について説明する。
【００４５】
上水設備２４からの上水が貯水槽２３に供給されなくなると、貯水槽２３の水量が減り続ける。
【００４６】
制御装置１００は、貯水槽２３の水量を水位計２８により、常に計測している。
【００４７】
制御装置１００は、貯水槽２３の水量が予め決められた規定量以下に低下すると（ステップＳ３０１のＹｅｓ）、補給水ポンプ２１の運転を停止する（ステップＳ３０２）。補給水ポンプ２１の運転が停止すると、補給水槽２２の水量が減り続ける。
【００４８】
制御装置１００は、補給水槽２２の水量が予め決められた規定量以下に低下すると（ステップＳ３０３のＹｅｓ）、散水を行わない運転に切り替える（ステップＳ３０４）。
【００４９】
本実施形態によれば、以下の作用効果を得ることができる。
【００５０】
本実施形態による制御方法では、第１の実施形態で説明した「（３）湿式冷却器３１への散水による蒸発分」による水の減少を抑えることができるため、循環水配管１３への循環水の補給できる時間を長くすることができる。これにより、循環水配管１３のキャビテーションによる循環水が循環できなくなるまでの時間を延ばすことができる。即ち、電力用機器水冷却装置１に接続された電力用機器の冷却できる時間を延ばすことができる。従って、電力用機器の運転継続時間を長くすることができる。
【００５１】
（第３の実施形態）
図４は、本発明の第３の実施形態に係る電力用機器水冷却装置１の制御装置１００の制御手順を示すフローチャートである。
【００５２】
図１及び図４を参照して、電力用機器水冷却装置１の制御装置１００による制御について説明する。
【００５３】
上水設備２４からの上水が貯水槽２３に供給されなくなると、貯水槽２３の水量が減り続ける。
【００５４】
制御装置１００は、貯水槽２３の水量を水位計２８により、常に計測している。
【００５５】
制御装置１００は、貯水槽２３の水量が予め決められた規定量以下に低下すると（ステップＳ４０１のＹｅｓ）、補給水ポンプ２１の運転を停止する（ステップＳ４０２）。補給水ポンプ２１の運転が停止すると、補給水槽２２の水量が減り続ける。
【００５６】
制御装置１００は、補給水槽２２の水量が予め決められた規定量以下に低下すると（ステップＳ４０３のＹｅｓ）、散水槽４３への水供給を停止する（ステップＳ４０４）。
【００５７】
本実施形態によれば、以下の作用効果を得ることができる。
【００５８】
本実施形態による制御方法では、第１の実施形態で説明した「（３）湿式冷却器３１への散水による蒸発分」、「（４）散水槽４３のブローによる放出分」及び「（５）散水槽４３からの蒸発分」による水の減少を抑えることができるため、循環水配管１３への循環水の補給できる時間を長くすることができる。これにより、循環水配管１３のキャビテーションによる循環水が循環できなくなるまでの時間を延ばすことができる。即ち、電力用機器水冷却装置１に接続された電力用機器の冷却できる時間を延ばすことができる。従って、電力用機器の運転継続時間を長くすることができる。
【００５９】
（第４の実施形態）
図５は、本発明の第４の実施形態に係る電力用機器水冷却装置１の制御装置１００の制御手順を示すフローチャートである。
【００６０】
図１及び図５を参照して、電力用機器水冷却装置１の制御装置１００による制御について説明する。
【００６１】
上水設備２４からの上水が貯水槽２３に供給されなくなると、貯水槽２３の水量が減り続ける。
【００６２】
制御装置１００は、貯水槽２３の水量を水位計２８により、常に計測している。
【００６３】
制御装置１００は、貯水槽２３の水量が予め決められた規定量以下に低下すると（ステップＳ５０１のＹｅｓ）、補給水ポンプ２１の運転を停止する（ステップＳ５０２）。補給水ポンプ２１の運転が停止すると、補給水槽２２の水量が減り続ける。
【００６４】
制御装置１００は、補給水槽２２の水量が予め決められた規定量以下に低下すると（ステップＳ５０３のＹｅｓ）、散水槽４３のブローを行わない運転に切り替える（ステップＳ５０４）。
【００６５】
このまま、電力用機器の運転を継続することにより、さらに、補給水槽２２の水量が減り続ける。
【００６６】
制御装置１００は、補給水槽２２の水量が、ステップＳ５０３の規定量よりもさらに低く予め決められた規定量以下に低下すると（ステップＳ５０５のＹｅｓ）、散水を行わない運転に切り替える（ステップＳ５０６）。
【００６７】
このまま、電力用機器の運転を継続することにより、さらに、補給水槽２２の水量が減り続ける。
【００６８】
制御装置１００は、補給水槽２２の水量が、ステップＳ５０５の規定量よりもさらに低く予め決められた規定量以下に低下すると（ステップＳ５０７のＹｅｓ）、散水槽４３への水供給を停止する（ステップＳ５０８）。
【００６９】
本実施形態によれば、補給水槽２２の水量の減少した量に応じて、減少を抑える措置を段階的にすることで、冷却効率を落とさずにより長く持続させながら、最終的には、第１から第３の実施形態の作用効果と同様の作用効果を得ることができる。
【００７０】
（第５の実施形態）
図６は、本発明の第５の実施形態に係る電力用機器水冷却装置１の制御装置１００の制御手順を示すフローチャートである。
【００７１】
図１及び図６を参照して、電力用機器水冷却装置１の制御装置１００による制御について説明する。
【００７２】
上水設備２４からの上水が貯水槽２３に供給されなくなると、貯水槽２３の水量が減り続ける。
【００７３】
制御装置１００は、貯水槽２３の水量を水位計２８により、常に計測している。
【００７４】
制御装置１００は、貯水槽２３の水量が予め決められた規定量以下に低下すると（ステップＳ６０１のＹｅｓ）、補給水ポンプ２１の運転を停止する（ステップＳ６０２）。補給水ポンプ２１の運転が停止すると、補給水槽２２の水量が減り続ける。
【００７５】
制御装置１００は、補給水槽２２の水量が予め決められた規定量以下に低下すると（ステップＳ６０３のＹｅｓ）、散水槽４３のブローを行わない運転に切り替える（ステップＳ６０４）。
【００７６】
このまま、電力用機器の運転を継続することにより、さらに、補給水槽２２の水量が減り続ける。
【００７７】
制御装置１００は、補給水槽２２の水量が、ステップＳ６０３の規定量よりもさらに低く予め決められた規定量以下に低下すると（ステップＳ６０５のＹｅｓ）、散水槽４３への水供給を停止する（ステップＳ６０６）。
【００７８】
散水槽４３への水供給を停止したため、補給水槽２２の水量の減少は抑えることができる。但し、散水装置４０による散水は、継続して行うため、散水槽４３の水量は減り続ける。
【００７９】
制御装置１００は、散水槽４３の水量が、予め決められた規定量以下に低下すると（ステップＳ６０７のＹｅｓ）、散水を行わない運転に切り替える（ステップＳ６０８）。
【００８０】
本実施形態によれば、補給水槽２２の水量の減少した量に応じて、減少を抑える措置を段階的にすることで、冷却効率を落とさずにより長く持続させながら、最終的には、第１から第３の実施形態の作用効果と同様の作用効果を得ることができる。
【００８１】
また、散水槽４３への水供給を停止した後も散水を継続することで、散水槽４３に残っている保有水により、散水による湿式冷却器３１の冷却効率を落とさずにより長く持続させることができる。
【００８２】
（第６の実施形態）
図７は、本発明の第６の実施形態に係る電力用機器水冷却装置１の制御装置１００の制御手順を示すフローチャートである。
【００８３】
図１及び図５を参照して、電力用機器水冷却装置１の制御装置１００による制御について説明する。本実施形態に係る制御手順は、図２に示す第１の実施形態に係る制御手順において、ステップＳ２０２及びステップＳ２０３を省いた構成である。
【００８４】
上水設備２４からの上水が貯水槽２３に供給されなくなると、貯水槽２３の水量が減り続ける。
【００８５】
制御装置１００は、貯水槽２３の水量を水位計２８により、常に計測している。
【００８６】
制御装置１００は、貯水槽２３の水量が予め決められた規定量以下に低下すると（ステップＳ７０１のＹｅｓ）、散水槽４３のブローを行わない運転に切り替える（ステップＳ７０２）。
【００８７】
本実施形態によれば、以下の作用効果を得ることができる。
【００８８】
本実施形態による制御方法では、第１の実施形態で説明した、「（４）散水槽４３のブローによる放出分」による水の減少を抑えることができるため、循環水配管１３への循環水の補給できる時間を長くすることができる。これにより、循環水配管１３のキャビテーションによる循環水が循環できなくなるまでの時間を延ばすことができる。即ち、電力用機器水冷却装置１に接続された電力用機器の冷却できる時間を延ばすことができる。従って、電力用機器の運転継続時間を長くすることができる。
【００８９】
また、貯水槽２３の水量の減少により、「散水槽４３のブローを行わない運転」に切り替えている。よって、第１の実施形態に係る制御方法よりも、散水槽４３のブローを早く止めることができる。このため、より早く補給水槽２２の水の減少を抑えることができる。
【００９０】
（第７の実施形態）
図８は、本発明の第７の実施形態に係る電力用機器水冷却装置１の制御装置１００の制御手順を示すフローチャートである。
【００９１】
図１及び図８を参照して、電力用機器水冷却装置１の制御装置１００による制御について説明する。本実施形態に係る制御手順は、図７に示す第６の実施形態に係る制御手順において、ステップＳ７０１の条件を変えた構成である。
【００９２】
本実施形態に係る電力用機器水冷却装置１は、地震の規模を検知する機能を備えている。なお、この機能は、電力用機器水冷却装置１に含まれていてもよいし、電力用機器水冷却装置１の外部の機器により感知及び測定された信号等を受信する構成でもよい。
【００９３】
予め決められた所定規模以上の地震の発生を検知すると（ステップＳ８０１のＹｅｓ）、散水槽４３のブローを行わない運転に切り替える（ステップＳ８０２）。
【００９４】
この所定規模以上の地震とは、上水設備２４からの上水が貯水槽２３に供給されなくなる恐れのある場所及び大きさの地震をいう。所定規模は、マグニチュードや震度などで判断される。
【００９５】
本実施形態によれば、以下の作用効果を得ることができる。
【００９６】
本実施形態による制御方法では、第１の実施形態で説明した、「（４）散水槽４３のブローによる放出分」による水の減少を抑えることができるため、循環水配管１３への循環水の補給できる時間を長くすることができる。これにより、循環水配管１３のキャビテーションによる循環水が循環できなくなるまでの時間を延ばすことができる。即ち、電力用機器水冷却装置１に接続された電力用機器の冷却できる時間を延ばすことができる。従って、電力用機器の運転継続時間を長くすることができる。
【００９７】
また、貯水槽２３に上水が供給されなくなる恐れのある地震を検知し、「散水槽４３のブローを行わない運転」に切り替えている。よって、第６の実施形態に係る制御方法よりも、散水槽４３のブローを早く止めることができる。このため、より早く補給水槽２２の水の減少を抑えることができる。
【００９８】
（第８の実施形態）
図９は、本発明の第８の実施形態に係る電力用機器水冷却装置１の制御装置１００の制御手順を示すフローチャートである。
【００９９】
図１及び図９を参照して、電力用機器水冷却装置１の制御装置１００による制御について説明する。本実施形態に係る制御手順は、図３に示す第２の実施形態に係る制御手順において、ステップＳ３０２及びステップＳ３０３を省いた構成である。
【０１００】
上水設備２４からの上水が貯水槽２３に供給されなくなると、貯水槽２３の水量が減り続ける。
【０１０１】
制御装置１００は、貯水槽２３の水量を水位計２８により、常に計測している。
【０１０２】
制御装置１００は、貯水槽２３の水量が予め決められた規定量以下に低下すると（ステップＳ９０１のＹｅｓ）、散水を行わない運転に切り替える（ステップＳ９０２）。
【０１０３】
本実施形態によれば、以下の作用効果を得ることができる。
【０１０４】
本実施形態による制御方法では、第１の実施形態で説明した「（３）湿式冷却器３１への散水による蒸発分」による水の減少を抑えることができるため、循環水配管１３への循環水の補給できる時間を長くすることができる。これにより、循環水配管１３のキャビテーションによる循環水が循環できなくなるまでの時間を延ばすことができる。即ち、電力用機器水冷却装置１に接続された電力用機器の冷却できる時間を延ばすことができる。従って、電力用機器の運転継続時間を長くすることができる。
【０１０５】
また、貯水槽２３の水量の減少により、「散水を行わない運転」に切り替えている。よって、第２の実施形態に係る制御方法よりも、散水を行わない運転に切り替えることができる。このため、より早く補給水槽２２の水の減少を抑えることができる。
【０１０６】
なお、第４及び第５の実施形態において、補給水槽２２の水量の減少を抑える方法として、「散水槽４３のブローを行わない運転」、「散水を行わない運転」、「散水槽４３への水供給を停止する」の３つの対策を採用する構成としたが、いずれか２つの対策を採用する構成としてもよい。また、３つの対策を別々のタイミングで行う構成としたが、全て同じタイミングで行ってもよいし、いずれか２つの対策のみを同じタイミングで行う構成としてもよい。
【０１０７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１０８】
【図１】本発明の各実施形態に係る電力用機器水冷却装置の構成を示す構成図。
【図２】本発明の第１の実施形態に係る電力用機器水冷却装置の制御装置の制御手順を示すフローチャート。
【図３】本発明の第２の実施形態に係る電力用機器水冷却装置の制御装置の制御手順を示すフローチャート。
【図４】本発明の第３の実施形態に係る電力用機器水冷却装置の制御装置の制御手順を示すフローチャート。
【図５】本発明の第４の実施形態に係る電力用機器水冷却装置の制御装置の制御手順を示すフローチャート。
【図６】本発明の第５の実施形態に係る電力用機器水冷却装置の制御装置の制御手順を示すフローチャート。
【図７】本発明の第６の実施形態に係る電力用機器水冷却装置の制御装置の制御手順を示すフローチャート。
【図８】本発明の第７の実施形態に係る電力用機器水冷却装置の制御装置の制御手順を示すフローチャート。
【図９】本発明の第８の実施形態に係る電力用機器水冷却装置の制御装置の制御手順を示すフローチャート。
【符号の説明】
【０１０９】
１…電力用機器水冷却装置、１１…水冷クーラ、１２…循環水ポンプ、１３…循環水配管、２０…補給水系統、２１…補給水ポンプ、２２…補給水槽、２３…貯水槽、２４…上水設備、２５…上水用配管、２６…補給水配管、２８，２９…水位計、３０…冷却塔、３１…湿式冷却器、３２…乾式冷却器、３３…送風機、４０…散水装置、４１…給水配管、４２…電磁弁、４３…散水槽、４４…水位計、４５…散水ポンプ、４６…散水用配管。
【図１】
2010169312.tif 000003
【図２】
2010169312.tif 000004
【図３】
2010169312.tif 000005
【図４】
2010169312.tif 000006
【図５】
2010169312.tif 000007
【図６】
2010169312.tif 000008
【図７】
2010169312.tif 000009
【図８】
2010169312.tif 000010
【図９】
2010169312.tif 000011